(57)【要約】【課題】  表示部を開閉する際に必要とされる力を軽減することのできる電子機器を提供する。【解決手段】  ノート型パーソナルコンピュータ１においては、使用者が閉じた状態にある表示部４を開けようとすると、加速度センサ９が、その開方向への回動を検知する。加速度センサ９の検知に従って、電磁石７は表示部４側をＮ極として、永久磁石８と反発する方向へ磁力を発生させる。これによって、電磁石７と永久磁石８とが反発し合い、表示部４が開方向への力を受けることとなるため、表示部４を開く際に必要とされる力を軽減することができる。【選択図】図１
2008165367.tif 000002
【特許請求の範囲】
【請求項１】
本体部と、前記本体部に対して回動可能に開閉する表示部とを具備する電子機器であって、
前記本体部又は前記表示部の一方に設けられた電磁石と、
前記本体部又は前記表示部の他方に設けられた永久磁石と、
前記表示部の回動を検知する検知手段と、を備え、
前記検知手段は、前記表示部の開方向への回動を検知した場合、前記電磁石に対し、前記永久磁石と反発するように磁力を発生させることを特徴とする電子機器。
【請求項２】
前記検知手段は、前記表示部の閉方向への回動を検知した場合、前記電磁石に対し、前記永久磁石と引き合うように磁力を発生させることを特徴とする請求項１記載の電子機器。
【請求項３】
前記検知手段は、前記表示部の閉方向への回動を検知するとともに、前記表示部の閉方向への回動において所定閾値以上の加速度を検知した場合、前記電磁石に対し、前記永久磁石と反発するように磁力を発生させることを特徴とする請求項１又は２記載の電子機器。
【請求項４】
前記検知手段は、加速度センサであることを特徴とする請求項１〜３のいずれか一項記載の電子機器。
【発明の詳細な説明】
【技術分野】
【０００１】
本発明は、本体部と、本体部に対して回動可能に開閉する表示部とを具備する電子機器に関する。
【背景技術】
【０００２】
従来の電子機器として、次のような開閉補助機構が適用されたものが知られている（例えば、特許文献１参照）。すなわち、本体部に電磁石、表示部に閉ループコイルを備え、表示部が閉じられて本体部と所定距離まで近づくと、電磁石と閉ループコイルとを反発させることによって、表示部が本体部に衝突するのを避ける開閉補助機構である。
【特許文献１】特開平４−３２７０３４号公報
【発明の開示】
【発明が解決しようとする課題】
【０００３】
ところで、上述のような電子機器においては、本体部に対する表示部のがたつきを防止するためには、それらを回動部である程度強く固定することが好ましい。しかし、回動部である程度強く固定した場合、表示部を開ける際に必要とされる力が増加してしまい、開け難くなるおそれがある。
【０００４】
そこで、本発明は、表示部を開ける際に必要とされる力を軽減することのできる電子機器を提供することを目的とする。
【課題を解決するための手段】
【０００５】
上記目的を達成するために、本発明に係る電子機器は、本体部と、本体部に対して回動可能に開閉する表示部とを具備する電子機器であって、本体部又は表示部の一方に設けられた電磁石と、本体部又は表示部の他方に設けられた永久磁石と、表示部の回動を検知する検知手段と、を備え、検知手段は、表示部の開方向への回動を検知した場合、電磁石に対し、永久磁石と反発するように磁力を発生させることを特徴とする。
【発明の効果】
【０００６】
本発明によれば、表示部を開ける際に必要とされる力を軽減することができる。
【発明を実施するための最良の形態】
【０００７】
以下、本発明に係る電子機器の好適な実施形態について、図面を参照して詳細に説明する。
【０００８】
図１に示すように、本発明に係るノート型パーソナルコンピュータ（電子機器）１は、使用者が所定の情報を入力するためのキーボード等が設けられた本体部２を備えている。
【０００９】
本体部２の後端部２ａには、当該本体部２に対し、ヒンジ３を介して回動可能に開閉する表示部４が設けられる。この表示部４には液晶表示画面が設けられている。
【００１０】
本体部２の前端部２ｂには、ラッチ６が設けられる。ラッチ６は、表示部４が閉められたときに、当該表示部４の閉状態を維持するものである。なお、表示部４がラッチ６に保持され完全に閉状態となると、ノート型パーソナルコンピュータ１は省電力モードとなる。
【００１１】
本体部２の端部２ｂ側には、内部に電磁石７が設けられる。電磁石７は電流の向きを変えることによって、発生させる磁力の向きを変えることができる。
【００１２】
表示部４の内部であって、表示部４を閉状態とした場合における電磁石７と対向する位置には、永久磁石８が設けられる。永久磁石８は、本体部２側がＮ極とされ、外側がＳ極とされている。
【００１３】
また、表示部４の内部には加速度センサ（検知手段）９が設けられる。加速度センサ９は、開閉動作時における表示部４の移動加速度を測定するものである。移動加速度を測定することによって、加速度センサ９は、表示部４の回動を検知することができる。更に、予め、表示部４の閉方向への回動における加速度の閾値を設定しておくことにより、当該表示部４が閾値以上で回動しているか否かを検知することができる。なお、閾値は、閉じたときに表示部４の液晶表示画面に衝撃がかからない程度の加速度とすることが好ましい。
【００１４】
上述のように構成されたノート型パーソナルコンピュータ１の作用・効果について説明する。
【００１５】
図１に示すように、閉じた状態にある表示部４を、使用者が開けようとすると、加速度センサ９が、その開方向への回動を検知する。加速度センサ９の検知に従って、電磁石７は表示部４側をＮ極として、永久磁石８と反発する方向へ磁力を発生させる。これによって、電磁石７と永久磁石８とが反発し合い、表示部４が開方向への力を受けることとなるため、表示部４を開く際に必要とされる力を軽減することができる。
【００１６】
図２に示すように、開いた状態にある表示部４を、使用者が閉めようとすると、加速度センサ９が、その閉方向への回動を検知する。加速度センサ９の検知に従って、電磁石７は表示部４側をＳ極として、永久磁石８と引き合う方向へ磁力を発生させる。これによって、電磁石７と永久磁石８とが引き合い、表示部４が閉方向への力を受けることとなるため、表示部４を閉じる際に必要とされる力を軽減することができる。
【００１７】
以上のように、少ない力で表示部４を開くことができるため、ヒンジ３をある程度強く固定してがたつきを十分防止した場合であっても、開く場合に、表示部４に連動して本体部２が浮き上がってしまうことなどを防止し、スムーズに開閉を行うことができる。
【００１８】
更に、閉方向へ力が作用することによって、表示部４が閉まり易くなるため、表示部４を閉める際に確実に省電力モードとすることができる。これによって、ノート型パーソナルコンピュータ１の省電力化をはかることができる。
【００１９】
また、図３に示すように、使用者が勢いよく表示部４を閉めようとすると、加速度センサ９が、その閉方向への回動を検知するとともに、閾値以上で移動していることを検知する。加速度センサ９の検知に従って、電磁石７は表示部４側をＮ極として、永久磁石８と反発する方向へ磁力を発生させる。これによって、電磁石７と永久磁石８とが反発し合い、表示部４が開方向への力を受けることとなるため、閉める勢いが抑制され、表示部４の液晶表示画面に衝撃が加わることを防止することができる。
【００２０】
なお、表示部４が完全に閉状態とされたとき、及び完全に開状態とされたときは、電磁石７に流れる電流はオフとされる。
【００２１】
本発明は、上述した実施形態に限定されるものではない。例えば、本実施形態においては、加速度センサによって表示部の回動を検知しているが、これに代えて赤外線などの距離センサを用いてもよい。この場合は、本体部と表示部の何れに設けてもよい。
【００２２】
また、閉じる方向でオン、開く方向でオフとなるようなスイッチをヒンジ部あるいはラッチ部に設けることによって、表示部の開閉を検知してもよい。
【００２３】
また、本体部に電磁石を設け、表示部に永久磁石を設けているが、これに代えて、本体部に永久磁石を設け、表示部に電磁石を設けてもよい。
【００２４】
また、本発明に係る電子機器をノート型パーソナルコンピュータとしているが、これに限らず、電子手帳、電子辞書あるいは携帯電話などでもよく、要は表示部と本体部を有する電子機器であれば何であってもよい。
【図面の簡単な説明】
【００２５】
【図１】本発明に係るノート型パーソナルコンピュータの側面図であり、表示部を開いている状態を示す。
【図２】本発明に係るノート型パーソナルコンピュータの側面図であり、表示部を閉じている状態を示す。
【図３】本発明に係るノート型パーソナルコンピュータの側面図であり、勢いよく表示部を閉じている状態を示す。
【符号の説明】
【００２６】
１…ノート型パーソナルコンピュータ（電子機器）、２…本体部、４…表示部、７…電磁石、８…永久磁石、９…加速度センサ（検知手段）。
【図１】
2008165367.tif 000003
【図２】
2008165367.tif 000004
【図３】
2008165367.tif 000005